(57)【要約】 【課題】  簡単な構造の蓋体の開閉機構により、簡易かつ迅速に蓋体を開閉することができる真空装置を提供する。【解決手段】  上部を開口したシリンダー１と、該シリンダー１の中心軸に沿って上下動するロッド２１と、該ロッド２１に沿って摺動可能に設けた蓋体３１と、該蓋体３１に設けた連通孔３２と、該連通孔３２を介して前記シリンダー１内を減圧する真空ポンプとから構成してある。【選択図】    図１
2006167609.tif 000002
【特許請求の範囲】
【請求項１】
上部を開口したシリンダーと、該シリンダーの中心軸に沿って上下動するロッドと、該ロッドに沿って摺動可能に設けた蓋体と、該蓋体に設けた連通孔と、該連通孔を介して前記シリンダー内を減圧する真空ポンプとからなる真空装置。
【請求項２】
前記蓋体の前記シリンダーと当接する面にＯリングを設けると共に、前記蓋体の前記ロッドと摺動する面にＯリングを設けた請求項１に記載の真空装置。
【請求項３】
前記ロッドの下端にストッパーを設けた請求項１又は２に記載の真空装置。
【請求項４】
前記ロッドの下端にピストンを設けると共に、該ピストンを前記ロッドより大径に形成した請求項１又は２に記載の真空装置。
【請求項５】
前記シリンダーの下部に着脱可能に栓部材を設けた請求項４に記載の真空装置。
【発明の詳細な説明】
【技術分野】
【０００１】
本発明は、開閉可能な蓋体を備えた真空装置に関する。
【背景技術】
【０００２】
従来、開閉可能な蓋体を備えた真空装置としては、蓋体を真空容器にボルトで取り付けるようにした真空装置や、真空容器にヒンジ機構を介して設けた蓋体を駆動装置により開閉操作している真空装置は知られている（例えば、特許文献１参照）。
【特許文献１】特開平１１−１０１３４５号公報
【発明の開示】
【発明が解決しようとする課題】
【０００３】
しかし、従来の開閉可能な蓋体を備えた真空装置は、蓋体の開閉機構が複雑であり蓋体の開閉操作も煩雑になるという課題があった。このため、例えば、加水分解し易い熱可塑性合成樹脂を減圧下で熱圧着するための真空装置のように、高い真空度は要求されないが頻繁に蓋体の開閉が必要な場合には、蓋体の開閉操作が簡単な真空装置が望まれている。
そこで、本発明は、簡単な構造の蓋体の開閉機構により、簡易かつ迅速に蓋体を開閉することができる真空装置を提供するものである。
【課題を解決するための手段】
【０００４】
本発明は、上記課題を解決するために、上部を開口したシリンダーと、該シリンダーの中心軸に沿って上下動するロッドと、該ロッドに沿って摺動可能に設けた蓋体と、該蓋体に設けた連通孔と、該連通孔を介して前記シリンダー内を減圧する真空ポンプとからなる真空装置を提供するものである。
【０００５】
また、本発明は、前記蓋体の前記シリンダーと当接する面にＯリングを設けると共に、前記蓋体の前記ロッドと摺動する面にＯリングを設けた請求項１に記載の真空装置を提供するものである。
【０００６】
また、本発明は、前記ロッドの下端にストッパーを設けた請求項１又は２に記載の真空装置を提供するものである。
【０００７】
また、本発明は、前記ロッドの下端にピストンを設けると共に、該ピストンを前記ロッドより大径に形成した請求項１又は２に記載の真空装置を提供するものである。
【０００８】
また、本発明は、前記シリンダーの下部に着脱可能に栓部材を設けた請求項４に記載の真空装置を提供するものである。
【発明の効果】
【０００９】
本発明に係る真空装置によれば、上部を開口したシリンダーと、該シリンダーの中心軸に沿って上下動するロッドと、該ロッドに沿って摺動可能に設けた蓋体と、該蓋体に設けた連通孔と、該連通孔を介して前記シリンダー内を減圧する真空ポンプとからなる構成を有することにより、蓋体をロッドに沿って摺動させることによって簡易かつ迅速にシリンダーの開閉操作をすることができ、蓋体をシリンダーの上端に当接させて蓋体の連通孔を介して真空ポンプでシリンダー内を減圧することにより、蓋体をシリンダーに密着させてシリンダー内の気密を維持することができる。また、ロッドに試料を取り付けてシリンダー内に挿入したり、ロッドを上下動させてシリンダー内の試料を加圧したりすることができる効果がある。
【００１０】
また、本発明は、前記蓋体の前記シリンダーと当接する面にＯリングを設けると共に、前記蓋体の前記ロッドと摺動する面にＯリングを設けた請求項１に記載の構成を有することにより、シリンダー内の気密を維持しながら
ロッドを上下動させることができる効果がある。
【００１１】
また、本発明は、前記ロッドの下端にストッパーを設けた請求項１又は２に記載の構成を有することにより、ロッドを引くことによってストッパーが蓋体に当接して自動的に蓋体を開けることができる効果がある。
【００１２】
また、本発明は、前記ロッドの下端にピストンを設けると共に、該ピストンを前記ロッドより大径に形成した請求項１又は２に記載の構成を有することにより、ピストンでシリンダー内の試料を加圧することができると共に、ロッドを引くことによって大径のピストンが蓋体に当接して自動的に蓋体を開けることができる効果がある。
【００１３】
また、本発明は、前記シリンダーの下部に着脱可能に栓部材を設けた請求項４に記載の構成を有することにより、栓部材を取り外してシリンダーの下部を開放し、ピストンでシリンダー内の試料を押し出すことができる効果がある。
【発明を実施するための最良の形態】
【００１４】
本発明の実施の形態を図示する実施例に基づいて説明する。
本発明に係る真空装置は、上部を開口したシリンダー１と、該シリンダー１の中心軸に沿って上下動するロッド２１と、該ロッド２１に沿って摺動可能に設けた蓋体３１と、該蓋体３１に設けた連通孔３２と、該連通孔３２を介して前記シリンダー１内を減圧する真空ポンプとから構成してある。
【実施例１】
【００１５】
図１乃至図４に示す実施例において、シリンダー１は、円筒状を成し、上部を漏斗状に形成して投入部１１を設け、真空処理する試料をシリンダー１内に投入し易くしてある。また、シリンダー１の下部には開口部を設け、真空処理した試料を下側から取り出すことができるように構成してある。なお、シリンダー１の下部に開口部を設けない構成にすることも勿論可能である。
【００１６】
図１乃至図４に示す実施例において、ロッド２１は、エアーシリンダー（図示しない）によってシリンダー１の中心軸に沿って上下動するように設けてある。ロッド２１の下端にはピストン２２を設けてあり、図２に示すように、エアーシリンダーによってロッド２１を上下方向に駆動し、ピストン２２がシリンダー１内を上下動してシリンダー１内の試料を加圧することができるように構成してある。また、ピストン２２は、ロッド２１より大径に形成してあり、図４に示すように、ロッド２１を上方に引くことによって大径のピストン２２の上端外周部が蓋体３１の下面に当接して蓋体３１を引き上げ、自動的に蓋体３１を開けることができるようにしてある。なお、シリンダー１内の試料を加圧する必要がない場合には、ロッド２１の下端にピストンを設ける必要はなく、また、ピストンに代えてロッド２１の下端にストッパーを設けることも可能である。
【００１７】
図１乃至図４に示す実施例において、蓋体３１は、一体的に形成したリング状をなし、中央に設けた摺動孔３６にロッド２１を挿通して、ロッド２１に沿って上下方向に摺動することができるように構成してある。また、蓋体３１には、シリンダー１内からシリンダー１の外に通じる連通孔３２を設け、この連通孔３２の出口側には真空ポンプ（図示しない）に接続する脱気口３３を設けてある。シリンダー１内を減圧するときには、図２に示すように、蓋体３１をロッド２１に沿って下方に移動してシリンダー１の上面に当接させ、真空ポンプを作動させることによりシリンダー１内が減圧されて、蓋体３１が大気圧によってシリンダー１上面に密着してシリンダー１内の気密を維持することができる。
また、蓋体３１の下面のシリンダー１上面と当接する箇所には、Ｏリング３４を設けてあると共に、蓋体３１のロッド２１と摺動する摺動孔３６の内面には、Ｏリング３５を設けてあり、シリンダー１内の気密性を向上させてある。
【００１８】
図１乃至図４に示す実施例において、シリンダー１の下部には、着脱可能に栓部材４１を設けてあり、図３に示すように、栓部材４１を取り外してシリンダー１の下部を開放し、ピストン２２を押し下げることによってシリンダー１内の試料を押出すことができるように構成してある。
また、栓部材４１は、円柱状の嵌入部４１ａと鍔部４１ｂとからなり、押ネジ部材４２をシリンダー１の下部に設けたネジ部１３にねじ込むことにより、栓部材４１の鍔部４１ｂを押圧して嵌入部４１ａをシリンダー１の下部に嵌入することができるようにしてある。また、栓部材４１の鍔部４１ｂの上面には、Ｏリング４４を設けてシリンダー１内の気密を保つことができるようにしてある。なお、シリンダー１の下部は、栓部材を設けないで閉じた構成にすることも勿論可能である。
【実施例２】
【００１９】
図５に示す真空装置は、図１乃至図４に示す真空装置においてシリンダー１内を加熱する加熱機構を設けてある。この加熱機構は、シリンダー１の上部と下部に設けた一対のヒータ５１と一対の温度センサー５２と、シリンダー１の外周に設けた断熱材５３とから構成してある。また、加熱機構は、上下の温度センサー５２が測定したシリンダー１内の温度と設定温度を比較して上下のヒータ５１を独立して制御することができるようにしてある。また、栓部材４１と押ネジ部材４２の間には、断熱部材５４を設けて下部からの放熱を低減してある。この構成により、例えば、加水分解し易い熱可塑性合成樹脂を粉砕した樹脂フレークをシリンダー１内に投入し、減圧下で加熱圧着することにより樹脂フレークを加水分解させることなくスティック状に成形することができる。
【図面の簡単な説明】
【００２０】
【図１】本発明真空装置の一実施例を示す一部縦断正面図。
【図２】その一実施例の使用状態を示す一部縦断正面図。
【図３】その一実施例の別の使用状態を示す一部縦断正面図。
【図４】その一実施例の別の使用状態を示す一部縦断正面図。
【図５】他の実施例を示す一部縦断正面図。
【符号の説明】
【００２１】
１  シリンダー
１１  投入部
１３  ネジ部
２１  ロッド
２２  ピストン
３１  蓋体
３２  連通孔
３３  脱気口
３４，３５  Ｏリング
３６  摺動孔
４１  栓部材
４１ａ  嵌入部
４１ｂ  鍔部
４２  押ネジ部材
４３  断熱部材
４４  Ｏリング
５１  ヒータ
５２  温度センサー
５３，５４  断熱材
【図１】
2006167609.tif 000003
【図２】
2006167609.tif 000004
【図３】
2006167609.tif 000005
【図４】
2006167609.tif 000006
【図５】
2006167609.tif 000007